(57)【特許請求の範囲】
【請求項１】
複数の対象のそれぞれに付されたＲＦＩＤタグと、
前記ＲＦＩＤタグに質問を送信すると共に、前記ＲＦＩＤタグから返信されたＩＤ情報を受信するＲＦＩＤリーダと、
前記複数の対象のうち所定の場所に位置する対象のみに対して光を照射する光源と、を備え、
前記ＲＦＩＤタグは、前記光を検出する光センサを備え、前記ＩＤ情報と共に前記光センサが前記光を検出したか否かを示す光検出情報を前記ＲＦＩＤリーダに送信し、
前記ＲＦＩＤタグは、前記光源から照射された光を吸収して電力を発生する発電用デバイスを備え、
前記発電用デバイスは、発生させた電力を前記光センサに供給する、ＲＦＩＤシステム。
【発明の詳細な説明】
【技術分野】
【０００１】
本発明は、ＲＦＩＤシステムに関する。
【背景技術】
【０００２】
ＲＦＩＤ（Ｒａｄｉｏ  Ｆｒｅｑｕｅｎｃｙ  Ｉｄｅｎｔｉｆｉｃａｔｉｏｎ）システムは、ＲＦＩＤリーダとＲＦＩＤタグとが無線通信を行うシステムである。そして、ＲＦＩＤシステムは、例えば、物品管理や人の入退室管理などに利用されている。ＲＦＩＤリーダは、当該ＲＦＩＤリーダの通信範囲内に存在する複数のＲＦＩＤタグのＩＤ情報を一度に読み取ることができる。そのため、ＲＦＩＤシステムは、物品の在庫管理を短時間で行うことができるという利点を有している。一方で、１つのＲＦＩＤタグだけを読み取り対象とする場合、ＲＦＩＤリーダが読み取り対象のＲＦＩＤタグの近くに存在するＲＦＩＤタグのＩＤ情報まで読み取ってしまうという問題がある。
【０００３】
特許文献１には、ＲＦＩＤリーダが送信した質問に対して、複数のＲＦＩＤタグから返信が送信された際、通信範囲を狭めてＲＦＩＤリーダが質問を再度送信する技術が記載されている。
【先行技術文献】
【特許文献】
【０００４】
【特許文献１】特開２０１２−２０３８３５号公報
【発明の概要】
【発明が解決しようとする課題】
【０００５】
しかしながら、特許文献１に記載されたＲＦＩＤシステムでは、ＲＦＩＤリーダが質問を繰り返して送信する必要があり、ＲＦＩＤシステムの処理時間が長くなってしまうという問題がある。
【０００６】
本発明は、このような問題を解決するためになされたものであり、ＲＦＩＤシステムの処理時間をより短縮できるＲＦＩＤシステムを提供することを目的とするものである。
【課題を解決するための手段】
【０００７】
本発明にかかるＲＦＩＤシステムは、複数の対象のそれぞれに付されたＲＦＩＤタグと、前記ＲＦＩＤタグに質問を送信すると共に、前記ＲＦＩＤタグから返信されたＩＤ情報を受信するＲＦＩＤリーダと、前記複数の対象のうち所定の場所に位置する対象のみに対して電磁波を照射する電磁波照射手段と、を備え、前記ＲＦＩＤタグは、前記電磁波を検出する電磁波検出手段を備え、前記ＩＤ情報と共に前記電磁波検出手段が前記電磁波を検出したか否かを示す電磁波検出情報を前記ＲＦＩＤリーダに送信する。
【発明の効果】
【０００８】
本発明にかかるＲＦＩＤシステムによれば、電磁波照射手段により、複数の対象のうち所定の場所に位置する対象のみに対して電磁波が照射される。そのため、当該所定の場所に位置する対象に付されたＲＦＩＤタグのみが、電磁波を検出したという電磁波検出情報をＲＦＩＤリーダに送信することとなる。そして、ＲＦＩＤリーダは、ＲＦＩＤタグから送信された電磁波検出情報に基づいて、ＩＤ情報を読み取るべきＲＦＩＤタグが何れかを判断することができる。そのため、ＲＦＩＤリーダが複数のＲＦＩＤタグからＩＤ情報を読み取っても、ＩＤ情報を読み取るべきＲＦＩＤタグが何れかを判断することができ、質問を再送信する必要がない。よって、ＲＦＩＤシステムの処理時間をより短縮することができる。
【図面の簡単な説明】
【０００９】
【図１】実施の形態１にかかるＲＦＩＤシステムを示すブロック図である。
【図２】実施の形態１にかかるＲＦＩＤシステムにおける処理を説明するブロック図である。
【図３】実施の形態１の変形例１にかかるＲＦＩＤタグの平面図である。
【図４】実施の形態２にかかるＲＦＩＤシステムを示すブロック図である。
【図５】実施の形態２にかかるＲＦＩＤシステムにおける処理を説明するブロック図である。
【図６】実施の形態３にかかるＲＦＩＤシステムを示すブロック図である。
【図７】実施の形態３にかかるＲＦＩＤシステムを示すブロック図である。
【発明を実施するための形態】
【００１０】
実施の形態１
以下、図面を参照して本発明の実施の形態について説明する。図１に示すように、本発明の実施の形態１にかかるＲＦＩＤシステム１００は、ＲＦＩＤリーダ１、複数のＲＦＩＤタグ２、電磁波照射手段としての光源３などを備える。具体的には、例えば、図２に示すように、本発明の実施の形態１にかかるＲＦＩＤシステム１００は、工場等における物品管理に利用される。そして、１つのＲＦＩＤタグ２は、１つの物品Ｇ（対象）に付されている。なお、１つの物品Ｇに対して、複数のＲＦＩＤタグ２が付されていてもよい。
なお、本実施の形態１では、電磁波照射手段が照射する電磁波として光を例示したが、電磁波照射器が照射する電磁波としては、直進性があり、回折や反射が生じにくいものであればよい。換言すれば、光源３の代わりに、光以外の電磁波を照射する電磁波照射器を備え、ＲＦＩＤタグ２に光センサ２１の代わりに電磁波検出器をそなえてもよい。
【００１１】
ＲＦＩＤリーダ１は、電磁波を用いて、ＲＦＩＤタグ２と無線通信を行う。具体的には、ＲＦＩＤリーダ１は、例えば、ＵＨＦ（Ｕｌｔｒａ  Ｈｉｇｈ  Ｆｒｅｑｕｅｎｃｙ）帯の電磁波を用いて、比較的近距離の通信を行う。そして、ＲＦＩＤリーダ１は、ＲＦＩＤタグ２に、ＩＤ情報を要求するＩＤ要求信号を送信する（図２に示す「リクエスト」）。また、ＲＦＩＤリーダ１は、ＲＦＩＤタグ２から返信された光検出情報（電磁波検出情報）とＩＤ情報とを受信する（図２に示す「レスポンス」）。光検出情報とは、具体的には、後述する光センサ２１が光を検出したか否かを示す情報（図２に示す「光センサの反応：有り又は無し」）である。
具体的には、図１に示すように、ＲＦＩＤリーダ１は、アンテナ１１と、コントローラ１２と、を備える。
なお、ＲＦＩＤシステム１００は、ＲＦＩＤリーダ１の代わりに、ＲＦＩＤリーダライタを備えていてもよい。
【００１２】
アンテナ１１は、比較的近距離の通信に用いられる周波数帯の電磁波を送受信可能なアンテナである。本実施の形態１では、アンテナ１１は、ＵＨＦ帯の電磁波を送受信するアンテナである。そして、アンテナ１１は、コントローラ１２に制御されることにより、ＩＤ要求信号をＲＦＩＤタグ２に送信する。また、アンテナ１１は、コントローラ１２に制御されることにより、ＲＦＩＤタグ２から送信されたＩＤ情報と光検出情報とを受信する。
【００１３】
コントローラ１２は、図示しないＣＰＵ（Ｃｅｎｔｒａｌ  Ｐｒｏｃｅｓｓｉｎｇ  Ｕｎｉｔ）及び図示しない記憶部等を備える。そして、ＣＰＵが記憶部に格納されたプログラムを実行することにより、コントローラ１２における処理が実現する。
また、コントローラ１２のそれぞれの記憶部に格納されるプログラムは、ＣＰＵに実行されることにより、コントローラ１２のそれぞれにおける処理を実現するためのコードを含む。なお、記憶部は、例えば、このプログラムや、コントローラ１２における処理に利用される各種情報を格納することができる任意の記憶装置を含んで構成される。記憶装置は、例えば、メモリ等である。
【００１４】
具体的には、ＣＰＵが記憶部に格納されたプログラムを実行することによって、コントローラ１２は、ＲＦＩＤリーダ１における各種処理を実現する。より具体的には、コントローラ１２がアンテナ１１を制御することにより、アンテナ１１はＲＦＩＤタグ２にＩＤ要求信号を送信する。また、コントローラ１２がアンテナ１１を制御することにより、アンテナ１１はＲＦＩＤタグ２から送信されたＩＤ情報と光検出情報とを受信する。
【００１５】
ＲＦＩＤタグ２は、例えば、物品Ｇに貼り付け可能な、ラベルのような形状を有する。ＲＦＩＤタグ２は、図示しないＩＣ（Ｉｎｔｅｇｒａｔｅｄ  Ｃｉｒｃｕｉｔ）や図示しないアンテナを備える。そして、ＲＦＩＤタグ２は、ＩＤ情報を保存している。それぞれのＲＦＩＤタグ２に保存されているＩＤ情報は異なっている。また、ＲＦＩＤタグ２は、電磁波検出手段としての光センサ２１を備える。
なお、本実施の形態１では、ＲＦＩＤタグ２として、アンテナ１１から送信される電磁波（電波）から電力を得るいわゆるパッシブタグを例示した。しかし、ＲＦＩＤタグ２は、内部に電池が内蔵された、いわゆるセミアクティブタグやアクティブタグ等であってもよい。
【００１６】
光センサ２１は、光源３から照射される光を検出する。光センサ２１は、光伝導型の検出器であってもよいし、光起電型の検出器であってもよい。そして、光センサ２１は、例えば、検出した光の光量に応じた電気信号をＲＦＩＤタグ２のＩＣ等に入力する。なお、ＲＦＩＤタグ２のアンテナ（図示省略）によって受信された電磁波（電波）から得られた電力を用いて、光センサ２１は駆動する。
【００１７】
そして、ＲＦＩＤタグ２は、光センサ２１から入力された電気信号に基づいて、光センサ２１が光を検出したか否かを示す光検出情報（電磁波検出情報）を生成する。そして、ＲＦＩＤタグ２は、当該光検出情報をＩＤ情報とともに、ＲＦＩＤリーダ１に送信する。
【００１８】
光源３は、例えば、図２に示すように、複数の物品Ｇのうち所定の場所に位置する物品Ｇのみに対して光を照射する。本実施の形態１では、光源３が照射する光は可視光線である。具体的には、光源３は図示しないシェード等を備え、光源３が光を照射する範囲が規定されている。また、光源３が図２に示す出荷工程にある物品Ｇに対して光を照射する際、工程Ｄにある物品Ｇに対しても光が照射されてしまう場合がある。その場合には、ＲＦＩＤシステム１００は、出荷工程と工程Ｄとの間に出し入れ可能な遮光板Ｐを備えてもよい。具体的には、光源３が出荷工程にある物品Ｇに光を照射する際に、遮光板Ｐを出荷工程と工程Ｄとの間に入れて、工程Ｄにある物品Ｇに光が照射されないようにする。なお、各工程毎に設備が壁等で既に仕切られている場合は、遮光板Ｐを備える必要はない。
【００１９】
換言すれば、光源３は、ＲＦＩＤリーダ１の読み取り対象となる物品Ｇにのみ光を照射する。また、図２では、ＲＦＩＤリーダ１の読み取り対象の物品Ｇは、出荷工程にある１つの物品Ｇとしたが、例えば、出荷工程に複数の物品Ｇがある場合には、当該複数の物品ＧがＲＦＩＤリーダ１の読み取り対象であってもよい。その場合には、光源３は出荷工程にある当該複数の物品Ｇに光を照射する。具体的には、光源３は、少なくとも読み取り対象となる物品Ｇに付されたＲＦＩＤタグ２の光センサ２１に光を照射すればよい。また、図２では、出荷工程にある物品Ｇのほぼ全体に光が照射されるように描かれているが、光源３は、出荷工程にある物品Ｇに付されたＲＦＩＤタグ２にのみ光を照射してもよいし、当該ＲＦＩＤタグ２の光センサ２１周辺にのみ光を照射することとしてもよい。
【００２０】
また、光源３が照射する光は可視光線に限定されるものではなく、光センサ２１が検出可能な波長の光線であればよい。また、光源３の代わりに、光以外の電磁波を照射する電磁波照射器を備え、ＲＦＩＤタグ２に光センサ２１の代わりに電磁波検出器をそなえてもよい。電磁波照射器が照射する電磁波としては、直進性があり、回折や反射が生じにくいものであればよい。
【００２１】
実施の形態１にかかるＲＦＩＤシステム１００によれば、光源３により、複数の物品Ｇのうち所定の場所に位置する物品Ｇのみに対して光が照射される。そのため、当該所定の場所に位置する物品Ｇに付されたＲＦＩＤタグ２のみが、光を検出したという光検出情報をＲＦＩＤリーダ１に送信することとなる。そして、ＲＦＩＤリーダ１は、ＲＦＩＤタグ２から送信された光検出情報に基づいて、ＩＤ情報を読み取るべきＲＦＩＤタグ２が何れかを判断することができる。そのため、ＲＦＩＤリーダ１が複数のＲＦＩＤタグ２からＩＤ情報を読み取っても、ＩＤ情報を読み取るべきＲＦＩＤタグ２が何れかを判断することができ、質問を再送信する必要がない。よって、ＲＦＩＤシステム１００の処理時間をより短縮することができる。
【００２２】
変形例１
次に、図３を参照して、本発明の実施の形態１の変形例１にかかるＲＦＩＤシステムについて説明する。
図３に示すように、変形例１にかかるＲＦＩＤシステムは、ＲＦＩＤタグ４のみが、実施の形態１にかかるＲＦＩＤシステム１００とは異なる。そのため、同一の構成については、同一の符号を付すと共に、その説明を省略する。
【００２３】
ＲＦＩＤタグ４は、図３に示すように、光発電用デバイス４１を備える点のみが、実施の形態１にかかるＲＦＩＤタグ２と異なる。そのため、同一の構成については、同一の符号を付すと共に、その説明を省略する。
【００２４】
光発電用デバイス４１は、光電効果を生じる半導体等を備え、光源３によって照射される光を吸収して電力を発生させる。また、光発電用デバイス４１は、発生させた電力を光センサ２１に入力する。
【００２５】
変形例１にかかるＲＦＩＤシステムによれば、ＲＦＩＤタグ２のアンテナ（図示省略）によって受信された電磁波（電波）から得られた電力では、光センサ２１を駆動するのに必要な電力として足りない場合であっても、光発電用デバイス４１が発生させた電力を用いて、光センサ２１を駆動できる。
【００２６】
実施の形態２
次に、図４、図５を参照して、本発明の実施の形態２にかかるＲＦＩＤシステム２００について説明する。
図４、図５に示すように、実施の形態２にかかるＲＦＩＤシステム２００は、ＲＦＩＤタグ２が、ＲＦＩＤリーダ１に返信する光検出情報のみが、実施の形態１にかかるＲＦＩＤシステム１００とは異なる。そのため、同一の構成については、同一の符号を付すと共に、その説明を省略する。
【００２７】
実施の形態２において、ＲＦＩＤタグ２がＲＦＩＤリーダ１に返信する光検出情報は、光センサ２１が所定の周波数（波長）の光を検出したか否かを示す情報である。光検出情報は、例えば、図４に示すように、「光センサの反応：有り又は無し」及び「光の周波数（波長）情報」を含む。
【００２８】
実施の形態２において、光センサ２１は、例えば、所定の周波数（波長）の光のみを検出するセンサである。例えば、光センサ２１は、所定の周波数帯域（波長帯域）にのみ感度を有するセンサであってもよい。また、光センサ２１は、受光素子よりも入射側に、所定の周波数帯域（波長帯域）の光のみを透過する波長フィルタを備えるセンサであってもよい。光センサ２１が当該波長フィルタを備える場合、後述する光源３が物品Ｇに対して照射する光は可視光線のように所定の周波数帯域を有する光であってもよい。そして、光センサ２１は、所定の周波数（波長）の光の光量に応じた電気信号をＲＦＩＤタグ２のＩＣ等に入力する。
【００２９】
一方、光源３は、複数の物品Ｇのうち所定の場所に位置する物品Ｇのみに対して、所定の周波数（波長）の光を照射してもよい。この場合、上述の光センサ２１は、上述の波長フィルタを備えていなくてもよい。
【００３０】
ＲＦＩＤタグ２は、光センサ２１から入力された電気信号に基づいて、光センサ２１が光を検出したか否かを示す光検出情報（電磁波検出情報）を生成する。実施の形態２において、光検出情報は、光センサ２１が所定の周波数（波長）の光を検出したか否かを示す情報である。具体的には、光検出情報は、例えば、図４に示すように、「光センサの反応：有り又は無し」及び「光の周波数（波長）情報」を含む。ここで、「光の周波数（波長）情報」は、例えば、光センサ２１が検出する所定の周波数（波長）の値である。そして、ＲＦＩＤタグ２は、当該光検出情報をＩＤ情報とともに、ＲＦＩＤリーダ１に送信する。
【００３１】
実施の形態２にかかるＲＦＩＤシステム２００によれば、図５に示すように、当該ＲＦＩＤシステム２００を備える第１のラインＬ１と第２のラインＬ２とが近接した位置にある場合に、第１のラインＬ１におけるＲＦＩＤリーダ１とＲＦＩＤタグ２との通信と、第２のラインＬ２におけるＲＦＩＤリーダ１とＲＦＩＤタグ２との通信とが混線するのを防ぐことができる。なお、図５に示す例では、第１のラインＬ１の光源３は、周波数ｆ１（Ｈｚ）の光を物品Ｇに照射し、第１のラインＬ１の光センサ２１は、周波数ｆ１（Ｈｚ）にのみ感度を有するセンサである。同様に、第２のラインＬ２の光源３は、周波数ｆ２（Ｈｚ）の光を物品Ｇに照射し、第２のラインＬ２の光センサ２１は、周波数ｆ２（Ｈｚ）にのみ感度を有するセンサである。
【００３２】
具体的には、例えば、第１のラインＬ１のＲＦＩＤリーダ１がＲＦＩＤタグ２からのＩＤ情報及び光検出情報（図４に示す「レスポンス」）を待っている際に、たまたま同時に第２のラインＬ２の光源３が点灯していると、第１のラインＬ１のＲＦＩＤタグ２が第１のラインＬ１のＲＦＩＤリーダ１にＩＤ情報及び光検出情報を返信するのと同時に、第２のラインＬ２のＲＦＩＤタグ２も第１のラインＬ１のＲＦＩＤリーダ１にＩＤ情報及び光検出情報を返信する。この場合、第１のラインＬ１のＲＦＩＤリーダ１が第１のラインＬ１のＲＦＩＤタグ２からＩＤ情報及び光検出情報を受信すると同時に、第２のラインＬ２のＲＦＩＤタグ２からＩＤ情報及び光検出情報を受信してしまう可能性がある。
【００３３】
しかし、実施の形態２では、光検出情報には、「光の周波数（波長）情報」が含まれる。具体的には、第１のラインＬ１のＲＦＩＤタグ２からの光検出情報には、「光の周波数（波長）情報」として、ｆ１（Ｈｚ）を示す情報が含まれる。また、第２のラインＬ２のＲＦＩＤタグ２からの光検出情報には、「光の周波数（波長）情報」として、ｆ２（Ｈｚ）を示す情報が含まれる。したがって、第１のラインＬ１のＲＦＩＤリーダ１は、当該光検出情報に基づいて、受信した２つのＩＤ情報のうち、どちらのＩＤ情報が第１のラインＬ１のＲＦＩＤタグ２から送信されたＩＤ情報かを判断することができる。具体的には、ＲＦＩＤリーダ１は、ＩＤ情報とともに受信した光検出情報に含まれる「光の周波数（波長）情報」が、ＲＦＩＤリーダ１の記憶部（図示省略）に予め記憶されている「光の周波数（波長）情報」と一致するか否かに基づいて、当該ＩＤ情報が第１のラインＬ１のＲＦＩＤタグ２から送信されたものか否かを判断することができる。このようにして、実施の形態２にかかるＲＦＩＤシステム２００によれば、第１のラインＬ１におけるＲＦＩＤリーダ１とＲＦＩＤタグ２との通信と、第２のラインＬ２におけるＲＦＩＤリーダ１とＲＦＩＤタグ２との通信とが混線するのを防ぐことができる。
【００３４】
変形例２
次に、本発明の実施の形態２の変形例２にかかるＲＦＩＤシステムについて説明する。
変形例２にかかるＲＦＩＤシステムは、光センサ２１がＣＣＤイメージセンサ（Ｃｈａｒｇｅ−Ｃｏｕｐｌｅｄ  Ｄｅｖｉｃｅ  ｉｍａｇｅ  ｓｅｎｓｏｒ）であり、光源３が緑の光、赤の光、青の光を所定の光量比で合成した光を照射する点が、実施の形態２にかかるＲＦＩＤシステム２００とは異なる。そのため、同一の構成については、同一の符号を付すと共に、その説明を省略する。
【００３５】
光センサ２１は、ＣＣＤイメージセンサである。光センサ２１は、後述する光源３から照射された３原色の光のそれぞれを検出する。３原色の光とは、例えば、緑の光、赤の光、及び青の光である。そして、光センサ２１は、光源３から照射された、緑の光の光量、赤の光の光量、青の光の光量に応じた電気信号をＲＦＩＤタグ２のＩＣ等に入力する。
【００３６】
光源３は、複数の物品Ｇのうち所定の場所に位置する物品Ｇのみに対して、緑の光、赤の光、及び青の光を所定の光量比で合成した光を照射する。
【００３７】
ＲＦＩＤタグ２は、光センサ２１から入力された電気信号に基づいて、光センサ２１が光を検出したか否かを示す光検出情報（電磁波検出情報）を生成する。変形例２において、光検出情報は、光センサ２１が所定の光量比の３原色の光を検出したか否かを示す情報である。具体的には、光検出情報は、例えば、「光センサの反応：有り又は無し」及び「３原色の所定の光量比」を含む。ここで、「３原色の所定の光量比」は、光センサ２１が検出した光に含まれる緑の光、赤の光、及び青の光の光量比である。そして、ＲＦＩＤタグ２は、当該光検出情報をＩＤ情報とともに、ＲＦＩＤリーダ１に送信する。
【００３８】
変形例２にかかるＲＦＩＤシステムによれば、光検出情報に、「３原色の所定の光量比」が含まれる。そして、図５に示すように、第１のラインＬ１と第２のラインＬ２が近接した位置にある場合、第１のラインＬ１の光源３が照射する光の「３原色の所定の光量比」と、第２のラインＬ２の光源３が照射する光の「３原色の所定の光量比」とを異なる比とする。これにより、第１のラインＬ１におけるＲＦＩＤリーダ１とＲＦＩＤタグ２との通信と、第２のラインＬ２におけるＲＦＩＤリーダ１とＲＦＩＤタグ２との通信とが混線するのを防ぐことができる。
【００３９】
例えば、第１のラインＬ１のＲＦＩＤリーダ１がＲＦＩＤタグ２からのＩＤ情報及び光検出情報（図４に示す「レスポンス」）を待っている際に、第１のラインＬ１のＲＦＩＤリーダ１が第１のラインＬ１のＲＦＩＤタグ２からＩＤ情報及び光検出情報を受信すると同時に、第２のラインＬ２のＲＦＩＤタグ２からＩＤ情報及び光検出情報を受信する。この場合であっても、第１のラインＬ１のＲＦＩＤリーダ１は、当該光検出情報に含まれる「３原色の所定の光量比」に基づいて、受信した２つのＩＤ情報のうち、どちらのＩＤ情報が第１のラインＬ１のＲＦＩＤタグ２から送信されたＩＤ情報かを判断することができる。具体的には、ＲＦＩＤリーダ１は、ＩＤ情報とともに受信した光検出情報に含まれる「３原色の所定の光量比」が、ＲＦＩＤリーダ１の記憶部（図示省略）に予め記憶されている「３原色の所定の光量比」と一致するか否かに基づいて、当該ＩＤ情報が第１のラインＬ１のＲＦＩＤタグ２から送信されたものか否かを判断することができる。このようにして、変形例２にかかるＲＦＩＤシステムによれば、第１のラインＬ１におけるＲＦＩＤリーダ１とＲＦＩＤタグ２との通信と、第２のラインＬ２におけるＲＦＩＤリーダ１とＲＦＩＤタグ２との通信とが混線するのを防ぐことができる。
【００４０】
実施の形態３．
次に、図６、図７を参照して、本発明の実施の形態３にかかるＲＦＩＤシステム３００について説明する。
図６、図７に示すように、実施の形態３にかかるＲＦＩＤシステム３００は、光センサ２１が光を検出したか否かによって、ＲＦＩＤタグ２がＲＦＩＤリーダ１に返信する情報が異なる点が、実施の形態１にかかるＲＦＩＤシステム１００とは異なる。そのため、同一の構成については、同一の符号を付すと共に、その説明を省略する。
【００４１】
ＲＦＩＤタグ２は、図示しないＩＣ、図示しない記憶部等を備える。そして、ＩＣが記憶部に格納されたプログラムを実行することにより、ＲＦＩＤタグ２における処理が実現する。
また、ＲＦＩＤタグ２のそれぞれの記憶部に格納されるプログラムは、ＩＣに実行されることにより、ＲＦＩＤタグ２のそれぞれにおける処理を実現するためのコードを含む。なお、記憶部は、例えば、このプログラムや、ＲＦＩＤタグ２における処理に利用される各種情報を格納することができる任意の記憶装置を含んで構成される。記憶装置は、例えば、メモリ等である。
【００４２】
具体的には、ＩＣが記憶部に格納されたプログラムを実行することによって、ＲＦＩＤタグ２は、光センサ２１が光を検出したか否かによって、異なる情報をＲＦＩＤリーダ１に送信する。より具体的には、光センサ２１が光を検出している場合にのみ、ＲＦＩＤタグ２が、ＲＦＩＤタグ２の記憶部内に格納されているＩＤ情報以外の情報をＲＦＩＤリーダ１に返信し、光センサ２１が光を検出していない場合には、ＲＦＩＤタグ２が、ＲＦＩＤタグ２の記憶部内に格納されているＩＤ情報のみをＲＦＩＤリーダ１に返信するためのプログラムがＲＦＩＤタグ２内の記憶部に格納されている。又は、光センサ２１が光を検出している場合にのみ、ＲＦＩＤタグ２が、ＲＦＩＤタグ２の記憶部内に格納されているＩＤ情報以外の情報をＲＦＩＤリーダ１に返信し、光センサ２１が光を検出していない場合には、ＲＦＩＤタグ２が何もＲＦＩＤリーダ１に返信しないためのプログラムがＲＦＩＤタグ２内の記憶部に格納されている。
【００４３】
例えば、図６に示すように、光センサ２１が光を検出していない場合、ＲＦＩＤタグ２は、ＲＦＩＤリーダ１に情報を送信しない。又は、光センサ２１が光を検出していない場合、ＲＦＩＤタグ２は、ＲＦＩＤタグ２内の記憶部（図示省略）のＵＩＩ（Ｕｎｉｑｕｅ  Ｉｔｅｍ  Ｉｄｅｎｔｉｆｉｅｒ）バンクに格納されているＩＤ情報のみをＲＦＩＤリーダ１に送信する。なお、ＲＦＩＤタグ２は、光センサ２１が光を検出しているか否かは、例えば、光センサ２１からＩＣに入力される電気信号に基づいて、判断する。
【００４４】
一方、図７に示すように、光センサ２１が光を検出している場合、ＲＦＩＤタグ２は、ＲＦＩＤリーダ１に、ＩＤ情報と光検出情報を送信する。そして、ＲＦＩＤリーダ１は、ＲＦＩＤタグ２のメモリ内に格納されているＩＤ情報以外の情報を受信することが可能になる。また、ＲＦＩＤリーダ１がＲＦＩＤリーダライタである場合、ＲＦＩＤリーダ１は、ＲＦＩＤタグ２のメモリ内に新たな情報を書き込むことが可能になる。
【００４５】
実施の形態３にかかるＲＦＩＤシステム３００によれば、光センサ２１が光を検出している場合にのみ、ＲＦＩＤリーダ１とＲＦＩＤタグ２との間の通信が制限なく可能になる。そのため、例えば、ＲＦＩＤタグ２が貼り付けられた物品Ｇがトラック等によって輸送されている際に、ＲＦＩＤリーダを所持している人が、意図せず又は意図して、ＲＦＩＤタグ２内のメモリに格納されているＩＤ情報以外の情報を読み取ったり、当該メモリに新たな情報を書き込んだりすることを防ぐことができる。ＲＦＩＤタグ２内のメモリには、秘匿性の高い情報や当該物品Ｇの特性に関する情報（物品Ｇのトレーサビリティ情報等）が格納される場合もある。実施の形態３にかかるＲＦＩＤシステム３００によれば、このような秘匿性の高い情報や当該物品Ｇの特性に関する情報が漏えいしてしまうことを防ぐことができる。
【００４６】
なお、本発明は上記実施の形態に限られたものではなく、趣旨を逸脱しない範囲で適宜変更することが可能である。例えば、本発明にかかるＲＦＩＤシステム１００、２００、３００は、人を対象とし、人の入出管理に利用されてもよい。その場合には、人が本発明にかかるＲＦＩＤタグ２，４を所持し、所定の場所（例えば、ゲート等）に位置する人にのみ光源３が光を照射し、ゲート等に備えられたＲＦＩＤリーダ１がＲＦＩＤタグ２，４のＩＤ情報を読み取ればよい。
【符号の説明】
【００４７】
１  ＲＦＩＤリーダ
１１  アンテナ
１２  コントローラ
２、４  ＲＦＩＤタグ
２１  光センサ（電磁波検出手段）
３  光源（電磁波照射手段）
４１  光発電用デバイス
１００、２００、３００  ＲＦＩＤシステム
Ｇ  物品（対象）
Ｌ１  第１のライン
Ｌ２  第２のライン
【図１】
0006531655.tif 000002
【図２】
0006531655.tif 000003
【図３】
0006531655.tif 000004
【図４】
0006531655.tif 000005
【図５】
0006531655.tif 000006
【図６】
0006531655.tif 000007
【図７】
0006531655.tif 000008